(57)【要約】【課題】薄型化を図りつつ施工性を向上させた照明器具を提供する。【解決手段】照明器具は、光源及び光源に電源を供給する電源ブロックが内部に収納され、天井面に取り付けられる器具本体を備える。この器具本体は、両端部が開口した円筒体からなる本体部と、本体部の天井面側の開口部を閉塞するようにして本体部に取り付けられる蓋部１とで構成され、蓋部１の天井面側には円筒部１１が突設されている。円筒部１１の筒内には、電源ブロックの入力側に電気的に接続されるとともに、外部電線が電気的に接続される速結端子部９の一部が収納され、さらに速結端子部９の速結端子９４に対応する部位には、上記の外部電線が挿入される電線挿入孔１１ｃが設けられている。【選択図】図１
2011233272.tif 000002
【特許請求の範囲】
【請求項１】
光源及び当該光源に電源を供給する電源ブロックが内部に収納され、被取付部に取り付けられる器具本体と、
前記電源ブロックの入力側に電気的に接続されるとともに、前記器具本体の表面に開口する電線挿入孔から挿入される外部電線が電気的に接続される速結端子部とを備え、
前記速結端子部を収納する収納部の少なくとも一部が前記器具本体の外郭部からなることを特徴とする照明器具。
【請求項２】
前記器具本体は、取付状態において前記被取付部側に突出する円筒部を前記収納部として備え、前記円筒部の筒内に前記速結端子部の少なくとも一部が収納されることを特徴とする請求項１記載の照明器具。
【請求項３】
前記円筒部の筒内に段部が設けられるとともに、前記段部の底部に前記電線挿入孔が設けられたことを特徴とする請求項２記載の照明器具。
【請求項４】
前記速結端子部が電気的に接続されるとともに、前記電源ブロックの入力側との間が内部電線により電気的に接続される接続端子部を備え、
前記接続端子部が、前記器具本体の外郭部よりも内側に設けられたことを特徴とする請求項１〜３の何れか１項に記載の照明器具。
【請求項５】
前記接続端子部が、前記器具本体の前記被取付部への取付方向と交差する第１の方向から前記内部電線が接続される接続端子を備えたことを特徴とする請求項４記載の照明器具。
【請求項６】
前記外部電線と前記速結端子部との接続状態を解除する解除手段を備え、
前記解除手段は、前記器具本体の前記被取付部への取付方向と交差する第１の方向にスライド自在に配置されており、前記解除手段を前記第１の方向にスライドさせることで前記外部電線と前記速結端子部との接続状態が解除されることを特徴とする請求項１〜５の何れか１項に記載の照明器具。
【発明の詳細な説明】
【技術分野】
【０００１】
本発明は、照明器具に関し、特に天井取付型の照明器具に関するものである。
【背景技術】
【０００２】
従来より、天井面に取り付けられる照明器具用の引掛けローゼットが提供されている（例えば特許文献１参照）。この引掛けローゼットは、厚みの薄い円盤状に形成され、内部に電線接続具が収納された器具ケースと、この器具ケースの開口を閉塞する板状の取付具とで構成された器具本体を備えており、固定ねじを用いて天井面に取り付けられる。そして、天井面に取り付けられた引掛けローゼットに照明器具を装着させると、引掛けローゼットの電線接続具と照明器具の引掛け栓刃とが電気的に接続され、これらの電線接続具及び引掛け栓刃を介して照明器具に所定の電源が供給されて光源が点灯するのである。
【先行技術文献】
【特許文献】
【０００３】
【特許文献１】特開平５−２９８９０８号公報（段落［０００８］−段落［０００９］、及び、第１図）
【発明の概要】
【発明が解決しようとする課題】
【０００４】
上述の特許文献１に示した引掛けローゼットを天井面に施工する場合、天井面に先行配線された電線を取付具に設けた挿通孔に挿通させて取付具を天井面に取り付けた後、器具ケース内に収納された電線接続具に電線を接続し、最後に器具ケースを取付具に取り付けることになるため、施工性が悪く、施工時間がかかるものであった。
【０００５】
また、上記の引掛けローゼットでは、電線が接続される電線接続具が器具ケースに収納されることから、器具ケースの厚み寸法をその分大きくする必要があり、その結果、照明器具を取り付けたときの天井面からの突出量が大きくなるものであった。
【０００６】
本発明は上記問題点に鑑みて為されたものであり、その目的とするところは、薄型化を図りつつ施工性を向上させた照明器具を提供することにある。
【課題を解決するための手段】
【０００７】
本発明の照明器具は、光源及び当該光源に電源を供給する電源ブロックが内部に収納され、被取付部に取り付けられる器具本体と、電源ブロックの入力側に電気的に接続されるとともに、器具本体の表面に開口する電線挿入孔から挿入される外部電線が電気的に接続される速結端子部とを備え、速結端子部を収納する収納部の少なくとも一部が器具本体の外郭部からなることを特徴とする。
【０００８】
この照明器具において、器具本体は、取付状態において被取付部側に突出する円筒部を収納部として備え、円筒部の筒内に速結端子部の少なくとも一部が収納されるのが好ましい。
【０００９】
また、この照明器具において、円筒部の筒内に段部が設けられるとともに、段部の底部に電線挿入孔が設けられるのも好ましい。
【００１０】
さらに、この照明器具において、速結端子部が電気的に接続されるとともに、電源ブロックの入力側との間が内部電線により電気的に接続される接続端子部を備え、接続端子部が、器具本体の外郭部よりも内側に設けられるのも好ましい。
【００１１】
また、この照明器具において、接続端子部が、器具本体の被取付部への取付方向と交差する第１の方向から内部電線が接続される接続端子を備えるのも好ましい。
【００１２】
さらに、この照明器具において、外部電線と速結端子部との接続状態を解除する解除手段を備え、解除手段は、器具本体の被取付部への取付方向と交差する第１の方向にスライド自在に配置されており、解除手段を第１の方向にスライドさせることで外部電線と速結端子部との接続状態が解除されるのも好ましい。
【発明の効果】
【００１３】
薄型化を図りつつ施工性を向上させた照明器具を提供することができるという効果がある。
【図面の簡単な説明】
【００１４】
【図１】本発明に係る照明器具を構成する蓋部の断面斜視図である。
【図２】同上の分解斜視図である。
【図３】同上の外観斜視図である。
【図４】同上を構成する蓋部の分解斜視図である。
【図５】同上を構成する蓋部を示し、（ａ）は上側から見た斜視図、（ｂ）は下側から見た斜視図である。
【図６】同上を構成する蓋部を示し、（ａ）は正面図、（ｂ）は側方から見た断面図である。
【発明を実施するための形態】
【００１５】
本発明に係る照明器具の実施形態を図１〜図６に基づいて説明する。本発明に係る照明器具は、例えば天井面（被取付部）に取り付けられ、室内などの照明空間を照明するために用いられる。
【００１６】
本実施形態の照明器具Ａは、図２に示すように、光源部４及び光源部４に電源を供給する電源ブロック７が内部に収納され、天井面に取り付けられる器具本体１６と、電源ブロック７の入力側に電気的に接続されるとともに、後述の電線挿入孔１１ｃ，１１ｃ（図６（ａ）参照）から挿入される外部電線（図示せず）の各芯線がそれぞれ電気的に接続される一対の速結端子部９，９（図４参照）とを備える。
【００１７】
また、照明器具Ａは、光源部４から発せられる熱を放熱する放熱部３と、光源部４の前方（図２中の下側）に配置され、光源部４から放射される光を拡散させることで輝度むらを低減させるレンズカバー５と、レンズカバー５の前方に配置されるグローブ６とを備える。
【００１８】
光源部４は、図２に示すようにプリント基板４０を具備し、プリント基板４０の一面（図２中の下面）には複数の発光ダイオード（ＬＥＤ）が実装されている。つまり、本実施形態では、プリント基板４０に実装された複数の発光ダイオードにより光源が構成されている。また、プリント基板４０の端縁には、電源ブロック７の出力側との間を電気的に接続する内部電線（図示せず）を逃がすための切欠溝４０ａが設けられている。
【００１９】
放熱部３は、熱伝導性の高い金属材料（例えばアルミや銅など）からなる横長の放熱板３０を具備し、放熱板３０の長手方向（図２中の左右方向）両端縁には、当該放熱板３０を器具本体１６に取り付けるための取付ねじ（図示せず）が挿通されるねじ挿通孔３０ａ，３０ａがそれぞれ設けられている。また、放熱板３０には、プリント基板４０の切欠溝４０ａに対応する部位に、上記の内部電線を挿通させるためのケーブル挿通孔３０ｂが設けられている。なお、放熱板３０の一面（図２中の下面）には熱伝導性の高い絶縁体（例えば窒化アルミニウムや窒化ケイ素など）が設けられており、この絶縁体によってプリント基板４０との間の絶縁が確保されている。
【００２０】
レンズカバー５は、光拡散性に優れた樹脂からなる成形品であって、後面側（図２中の上側）が開口する蓋状に形成されている。レンズカバー５の左右方向両端縁には、上記の取付ねじが挿通されるねじ挿通孔５ａ，５ａがそれぞれ設けられており、上記の放熱板３０とともに器具本体１６にねじ固定される。
【００２１】
グローブ６は、前後方向（図２中の上下方向）両端部が開口する円筒体からなる大径部６０と、同様に前後方向両端部が開口する円筒体からなり、大径部６０よりも外径の小さい小径部６１とで構成され、小径部６１の外周面にはねじ部６１ａが形成されている。そして、小径部６１に設けたねじ部６１ａを器具本体１６側に設けたねじ部（図示せず）にねじ込むことで、グローブ６が器具本体１６に取り付けられるようになっている（図３参照）。
【００２２】
電源ブロック７は、図２に示すようにプリント基板７０を具備し、プリント基板７０の一面（図２中の上面）には、電源回路を構成する複数の回路部品（例えばスイッチング素子やコンデンサなど）７１が実装されている。なお、本実施形態では、光源が発光ダイオードであることから、電源ブロック７の出力端からは所定の電圧値の直流電力が出力される。
【００２３】
次に、器具本体１６について説明する。器具本体１６は、図２に示すように本体部２と、本体部２の後面側（図２中の上側）の開口部２ａを閉塞するようにして本体部２に取り付けられる蓋部１とで構成される。なお、蓋部１、本体部２ともに合成樹脂成形品からなる。
【００２４】
本体部２は、前後方向（図２中の上下方向）両端部が開口する円筒体からなり、後面側の開口部２ａの開口端縁には、蓋部１を取り付けるための取付ねじ１３，１３がねじ込まれるねじ孔（図示せず）が、開口部２ａを間にして両側に設けられている。また、開口部２ａの開口端縁には、照明器具Ａを天井面に取り付けるための取付ねじ（図示せず）が挿通されるねじ挿通孔２ｂ，２ｂが、開口部２ａを間にして両側に設けられている。
【００２５】
一方、蓋部１は、図２に示すように横長の板状に形成された蓋本体１０と、蓋本体１０の上面中央に一体に形成された円筒部１１とを備える。蓋本体１０の長手方向（図２中の左右方向）両端縁には、それぞれ凹部１０ｂが３個ずつ横並びに設けられており、さらに真ん中の凹部１０ｂ，１０ｂの底部には、それぞれ取付ねじ１３，１３が挿通されるねじ挿通孔１０ｃ，１０ｃが設けられている。また、蓋本体１０において円筒部１１の近傍には、後述の解除ボタン１２を操作する際にマイナスドライバのような治具が挿入される矩形状の解除孔１０ａが設けられている。
【００２６】
円筒部１１の筒内には、図１、図５（ａ）及び図６（ａ）に示すように段部１１ａが設けられている。この段部１１ａは、図６（ａ）に示すように底部１１ｂの上面視の形状が円筒部１１の内面の約２／３程度を占める半円状となるように形成され、また底部１１ｂには、外部電線（図示せず）の各芯線が挿入される一対の電線挿入孔１１ｃ，１１ｃが設けられている。さらに、底部１１ｂにおいて電線挿入孔１１ｃ，１１ｃの間には、上方（図６（ａ）中の紙面に垂直な方向）に突出する絶縁壁１１ｄが設けられており、この絶縁壁１１ｄによって、電線挿入孔１１ｃ，１１ｃに挿入された芯線間の絶縁が確保できるようになっている。なお、本実施形態では、段部１１ａの底部１１ｂの幅寸法（図６（ａ）中の左右方向の寸法）が外部電線の外径寸法と略同寸法に設定されており、円筒部１１の筒内に外部電線を挿入する際には円筒部１１の内壁と段部１１ａの縦壁とで外部電線がガイドされるので、筒内への電線挿入が容易になって作業性が向上するという利点がある。
【００２７】
次に、速結端子部９について説明する。速結端子部９は、弾性を有する金属材料（例えば銅など）からなり、図４に示すように矩形板状の主片９０を有し、主片９０の上端縁には斜め下方に傾斜する鎖錠片９１が折曲形成されている。また、主片９０の前端縁には側方に突出する突片９２が折曲形成されており、この突片９２と鎖錠片９１との間に外部電線の芯線を挿入することで、鎖錠片９１により芯線が鎖錠される。さらに、鎖錠片９１の先端部には、鎖錠片９１による芯線の鎖錠状態を解除する際に押圧される解除片９３が一体に設けられており、この解除片９３を後方（突片９２から離れる方向）に押圧することで鎖錠片９１と突片９２との間隔が拡げられて、鎖錠片９１による鎖錠が解除される。ここに、本実施形態では、鎖錠片９１と突片９２とで速結端子９４が構成されている。
【００２８】
また、各速結端子部９には、電源ユニット７の入力側に一端側が接続された内部電線（図示せず）の他端側が接続される接続端子部１５が一体に設けられている。この接続端子部１５は、上記の内部電線が接続される所謂速結端子構造の接続端子１５１と、この接続端子１５１と速結端子部９の主片９０との間を連結する連結片１５２とで略Ｌ字状に形成されている。接続端子１５１には、横長板状の鎖錠片１５１ａが切り起こしにより形成されており、この鎖錠片１５１ａと連結片１５２との間に内部電線の芯線を挿入することで、鎖錠片１５１ａにより芯線が鎖錠される。また、鎖錠片１５１ａによる鎖錠状態を解除するには、鎖錠片１５１ａを内側（速結端子部９側）に押圧して鎖錠片１５１ａと連結片１５２との間隔を拡げることで解除される。
【００２９】
解除ボタン１２は、図４に示すように横長の直方体状に形成されたボタン本体１２ａを有し、ボタン本体１２ａの長手方向両端部には、速結端子部９側に突出する押圧片１２ｂ，１２ｂが一体に設けられている。そして、各押圧片１２ｂ，１２ｂにより速結端子部９の対応する解除片９３を押圧することによって、外部電線の各芯線と対応する速結端子９４との接続状態を解除することができる。
【００３０】
次に、上述した速結端子部９、接続端子部１５及び解除ボタン１２が収納される端子カバー８について説明する。端子カバー８は、一面（図４中の上面）が開口する箱状に形成された合成樹脂成形品であって、長手方向一端側（図４中の左側）には各接続端子部１５，１５が収納される端子収納部８０，８０が左右対称に設けられている。各端子収納部８０の側壁には、内部電線が挿入される電線挿入孔８０ａと、電線挿入孔８０ａから挿入された内部電線と接続端子部１５の接続端子１５１との接続状態を解除する際に治具が差し込まれる解除孔８０ｂとが、それぞれ横並びに設けられている。つまり、本実施形態では、接続端子１５１に接続される内部電線は、器具本体１６の天井面への取付方向（図４中の上下方向）と交差する方向（つまり側方）から電線挿入孔８０ａに挿入されるのである。
【００３１】
一方、端子カバー８の長手方向他端側には、速結端子部９，９及び解除ボタン１２が収納される端子収納部８１が設けられており、さらに端子収納部８１よりも外側寄りには、中央部に取付ねじ１４が挿通されるねじ挿通孔８２ａが形成された取付片８２が設けられている。そして、速結端子部９、接続端子部１５及び解除ボタン１２を上記の所定位置に収納した端子カバー８を蓋部１に下面側から取り付けた後、取付片８２に設けたねじ挿通孔８２ａに挿通させた取付ねじ１４を蓋部１の裏面に設けたねじ部１０ｄのねじ孔にねじ込むことで、蓋部１と端子カバー８とが一体的に組み付けられる（図１及び図５（ｂ）参照）。なお、端子カバー８の長手方向一端側には図示しない取付手段が設けられており、この取付手段と上記の取付片８２とで端子カバー８が蓋部１に固定される。
【００３２】
ここで、図６（ｂ）は、端子カバー８を組み付けた状態の蓋部１を側方から見た断面図であり、各速結端子部９の一部が円筒部１１の筒内に収納されている。また、各速結端子部９の速結端子９４（鎖錠片９１及び突片９２）は、それぞれ対応する電線挿入孔１１ｃに臨むようにして配置されている。つまり、本実施形態では、円筒部１１の筒内と、端子カバー８の端子収納部８１とで速結端子部９を収納する収納部が構成されている。なお、図６（ｂ）では、片側の速結端子部９のみが図示されている。
【００３３】
また、解除ボタン１２は、速結端子部９に対して進退自在（図６（ｂ）中の左右方向に移動自在であって、この方向が第１の方向である）に配置されており、蓋本体１０に設けた解除孔１０ａから治具を挿入して解除ボタン１２を右側に移動させると、各押圧片１２ｂによって対応する解除片９３が右側に押される。それに伴って各鎖錠片９１も右側に移動するため、各鎖錠片９１と対応する突片９２との間隔が拡げられて、鎖錠片９１による芯線の鎖錠状態が解除される。なお、解除孔１０ａに挿入した治具を抜くと、両解除片９３，９３からのばね反力によって解除ボタン１２が元の位置に復帰することになる。
【００３４】
次に、本実施形態の照明器具Ａの組立手順及び天井面への施工手順について、図２、図３及び図６（ｂ）を参照しながら説明する。なお、以下の説明において、速結端子部９、接続端子部１５、解除ボタン１２は、端子カバー８とともに予め蓋部１に組み付けられているものとし、また光源部４と電源ブロック７の出力側との間、及び、電源ブロック７の入力側と接続端子部１５の接続端子１５１との間が、それぞれ図示しない内部電線により接続されているものとして説明する。また、図６（ｂ）では、蓋部１のみを図示し、本体部２やグローブ６などは図示を省略している。
【００３５】
まず最初に、上側から放熱部３、光源部４、レンズカバー５の順番で組み付けたものを取付ねじ（図示せず）を用いて下側から本体部２に取り付けるとともに、開口部２ａを通して本体部２の内部に電源ブロック７を収納した後、取付ねじ１３，１３を用いて蓋部１を本体部２に取り付ける。次に、天井面１７に先行配線された外部電線の各芯線を、それぞれ円筒部１１の対応する電線挿入孔１１ｃから挿入し、速結端子９４に接続する。なおこのとき、円筒部１１の筒内に設けた段部１１ａに沿って外部電線を挿入することで、電線挿入孔１１ｃ，１１ｃが形成された底部１１ｂに外部電線を容易に導くことができ、作業性が向上するという利点がある。
【００３６】
その後、図示しない取付ねじを用いて器具本体１６を天井面１７に取り付けた後、グローブ６の小径部６１に設けたねじ部６１ａを本体部２に設けたねじ部（図示せず）にねじ込み、グローブ６を本体部２に取り付けると、照明器具Ａの組み立て及び天井面１７への取り付けが完了する。なお、照明器具Ａを天井面１７に取り付けた状態では、円筒部１１は天井面１７に設けた埋込孔１７ａ内に埋込配設され、蓋部１の上面と天井面１７とが当接した状態になる（図６（ｂ）参照）。
【００３７】
また、天井面１７に取り付けた照明器具Ａを取り外す場合には、本体部２からグローブ６を取り外した後、上記の取付ねじを緩めて器具本体１６を天井面１７から取り外す。その後、蓋本体１０に設けた解除孔１０ａに治具を挿入して各芯線と対応する速結端子９４との接続状態を解除した状態で外部電線を引き抜くと、照明器具Ａの取り外しが完了する。
【００３８】
而して、本実施形態によれば、天井面（被取付部）１７に先行配線された外部電線の各芯線を蓋部１の円筒部１１の筒内に設けた電線挿入孔１１ｃ，１１ｃから挿入して対応する速結端子９４，９４に接続するだけでいいので、現地での施工性が向上するとともに、施工時間の短縮化を図ることができる。また、速結端子部９の一部が円筒部１１の筒内に収納されるため、速結端子部９の残りの部分を収納するスペースが少なくてすみ、その結果、器具本体１６の厚み寸法を小さくすることができて、照明器具Ａの薄型化を図ることができる。
【００３９】
さらに、器具本体１６の外郭部である蓋部１に設けた収納部（円筒部１１）が円筒形状であることから、外皮が円形である外部電線を挿入し易いという利点もある。また、円筒部１１を器具本体１６の中央位置に設けており、天井面１７の埋込孔１７ａと照明器具Ａとの位置関係が容易に把握できることから、施工時の手間を軽減することができる。
【００４０】
さらに、接続端子部１５を、器具本体１６の外郭部である蓋部１の内側に設けているので、本体部２の空スペースを利用して接続端子部１５を配置することができ、その結果、照明器具Ａをさらに薄型化することができる。また、内部電線の接続端子部１５への接続方向が照明器具Ａの天井面１７への取付方向である場合には、内部電線を上方に逃がすためのスペースが必要であるが、本実施形態によれば、内部電線の接続端子部１５への接続方向が上記の取付方向と交差する方向（つまり側方）であることから、上記のスペースが不要であり、その結果、器具本体１６の厚み寸法を小さくすることができて、照明器具Ａをさらに薄型化することができる。さらに、解除ボタン１２のスライド方向が照明器具Ａの天井面１７への取付方向である場合には、解除ボタン１２の移動スペースを確保するために器具本体１６の厚み寸法が大きくなるが、本実施形態によれば、解除ボタン１２のスライド方向が上記の取付方向と交差する第１の方向であることから、器具本体１６の厚み寸法を小さくすることができ、その結果、照明器具Ａをさらに薄型化することができる。
【００４１】
なお、本実施形態では、プリント基板４０に実装された複数の発光ダイオードで光源を構成しているが、光源は発光ダイオードに限定されるものではなく、例えば蛍光灯や白熱灯などであってもよい。また、本実施形態では、速結端子部９の一部が円筒部１１の筒内に収納されているが、速結端子部９の全部が円筒部１１の筒内に収納されるようになっていてもよく、この場合、本体部２側には速結端子部９を収納するスペースが不要であることから、照明器具Ａをさらに薄型化することができる。
【符号の説明】
【００４２】
１  蓋部
２  本体部
４  光源部（光源）
７  電源ブロック
９  速結端子部
１１  円筒部（収納部）
１１ｃ  電線挿入孔
１６  器具本体
Ａ  照明器具
【図１】
2011233272.tif 000003
【図２】
2011233272.tif 000004
【図３】
2011233272.tif 000005
【図４】
2011233272.tif 000006
【図５】
2011233272.tif 000007
【図６】
2011233272.tif 000008